(57)【特許請求の範囲】
【請求項１】
次世代無線通信システムと、第３世代無線通信システムと、前記次世代無線通信システム及び前記第３世代無線通信システムに個別に接続可能な無線端末とを含み、前記無線端末が前記次世代無線通信システムから前記第３世代無線通信システムへのハンドオーバを行う無線通信システムであって、
前記次世代無線通信システムのコアネットワーク内に設けられている移動管理装置は、前記無線端末と前記次世代無線通信システムとの間で設定されている第１無線接続が切断される前に、前記無線端末のセキュリティ能力を示す端末セキュリティ情報を前記第３世代無線通信システムに送信し、
前記第３世代無線通信システムのコアネットワーク内に設けられているパケット交換装置は、前記第１無線接続が切断される前に、受信した前記端末セキュリティ情報に応じて、前記無線端末と前記第３世代無線通信システムとの間で設定すべき第２無線接続で用いるＣＫ（Ｃｙｐｈｅｒ  Ｋｅｙ）及びＩＫ（Ｉｎｔｅｇｒｉｔｙ  Ｋｅｙ）に係るパラメータを設定し、前記移動管理装置に送信し、
前記移動管理装置は、前記第１無線接続が切断される前に、前記第１無線接続を介して前記ＣＫ及びＩＫに係るパラメータを前記無線端末に送信することを特徴とする無線通信システム。
【請求項２】
前記無線端末は、前記ハンドオーバの開始前において、前記端末セキュリティ情報を予め送信し、
前記移動管理装置は、前記ハンドオーバにおいて、前記無線端末から予め受信した前記端末セキュリティ情報を前記パケット交換装置に送信することを特徴とする請求項１に記載の無線通信システム。
【請求項３】
前記移動管理装置は、
前記第３世代無線通信システムの無線品質の測定結果に応じて、前記次世代無線通信システムを用いて既に行われている通信に要求されるサービス品質を示すサービス品質情報を前記第３世代無線通信システムに引き継ぐリロケーション処理を開始し、
前記リロケーション処理において、前記ハンドオーバの実行を要求するハンドオーバ要求とともに前記ＣＫ及びＩＫに係るパラメータを前記無線端末に送信することを特徴とする請求項１に記載の無線通信システム。
【請求項４】
前記第３世代無線通信システムは、回線交換ドメイン及びパケット交換ドメインを含み、
前記ハンドオーバは、前記次世代無線通信システムから前記パケット交換ドメインへのハンドオーバであり、
前記無線端末は、前記パケット交換ドメインを介してデータを受信した場合に、前記パケット交換ドメインから前記回線交換ドメインへのハンドオーバを開始することを特徴とする請求項１に記載の無線通信システム。
【請求項５】
次世代無線通信システムと、第３世代無線通信システムと、前記次世代無線通信システム及び前記第３世代無線通信システムに個別に接続可能な無線端末とを含み、前記無線端末が前記次世代無線通信システムから前記第３世代無線通信システムへのハンドオーバを行う無線通信方法であって、
前記次世代無線通信システムのコアネットワーク内に設けられている移動管理装置が、前記無線端末と前記次世代無線通信システムとの間で設定されている第１無線接続が切断される前に、前記無線端末のセキュリティ能力を示す端末セキュリティ情報を前記第３世代無線通信システムのコアネットワーク内に設けられているパケット交換装置に送信するステップと、
前記パケット交換装置が、前記第１無線接続が切断される前に、受信した前記端末セキュリティ情報に応じて、前記無線端末と前記第３世代無線通信システムとの間で設定すべき第２無線接続で用いるＣＫ（Ｃｙｐｈｅｒ  Ｋｅｙ）及びＩＫ（Ｉｎｔｅｇｒｉｔｙ  Ｋｅｙ）に係るパラメータを設定し、前記移動管理装置に送信するステップと、
前記移動管理装置が、前記第１無線接続が切断される前に、前記第１無線接続を介して前記ＣＫ及びＩＫに係るパラメータを前記無線端末に送信するステップとを含むことを特徴とする無線通信方法。
【請求項６】
次世代無線通信システム及び第３世代無線通信システムに個別に接続可能であり、前記次世代無線通信システムから前記第３世代無線通信システムへのハンドオーバを行う無線端末であって、
前記第３世代無線通信システムにおける自端末のセキュリティ能力を示す端末セキュリティ情報を、前記次世代無線通信システムのコアネットワーク内に設けられている移動管理装置を介して前記第３世代無線通信システムのコアネットワーク内に設けられているパケット交換装置に送信する送信部と、
自端末と前記次世代無線通信システムとの間で設定されている第１無線接続が切断される前に、前記端末セキュリティ情報に応じて前記パケット交換装置によって決定された自端末と前記第３世代無線通信システムとの間で設定すべき第２無線接続で用いるＣＫ（Ｃｙｐｈｅｒ  Ｋｅｙ）及びＩＫ（Ｉｎｔｅｇｒｉｔｙ  Ｋｅｙ）に係るパラメータを、前記パケット交換装置から前記移動管理装置を介して受信する受信部とを備えることを特徴とする無線端末。
【発明の詳細な説明】
【技術分野】
【０００１】
本発明は、第１無線通信システムから第２無線通信システムへのハンドオーバを行う無線通信システム、無線通信方法及び無線端末に関する。
【背景技術】
【０００２】
近年、無線通信技術の発展に伴って、無線端末が接続可能なネットワークの種類が多様化している。例えば、無線端末が接続可能なネットワークとしては、（１）第３世代の回線交換ドメイン（ＣＳ（Ｃｉｒｃｕｉｔ  Ｓｗｉｔｃｈｉｎｇ）ドメイン）、（２）第３世代のパケット交換ネットワーク（ＰＳ（Ｐａｃｋｅｔ  Ｓｗｉｔｃｈｉｎｇ）ドメイン）、（３）次世代のパケット交換ネットワーク（ＥＰＣ（Ｅｖｏｌｖｅｄ  Ｐａｃｋｅｔ  Ｃｏｒｅ）、（４）無線ＬＡＮなどが挙げられる。
【０００３】
また、無線端末が複数のネットワークに接続可能であることを前提として、無線端末が接続するネットワークを切り替える技術（ハンドオーバ技術）も提案されている（例えば、非特許文献１）。
【０００４】
例えば、無線端末が接続しているネットワークにおいて無線品質が劣化した場合などに、上述したネットワークの切り替え（ハンドオーバ）が行われる。
【非特許文献１】３ＧＰＰ  ＴＲ２３．８８２  Ｖ１．９．０（Ｓｅｃｔｉｏｎ  ７．８．２）
【発明の開示】
【発明が解決しようとする課題】
【０００５】
ここで、無線端末は、自端末とネットワークとの間で無線接続を設定する単数の無線機を有していることが一般的である。すなわち、無線端末は、単数の無線機しか有していないため、複数のネットワークに同時に接続することができない。
【０００６】
従って、一のネットワークから他のネットワークへのハンドオーバが行われる場合には、一のネットワークと無線端末との間で設定された無線接続を切断した後に、他のネットワークと無線端末との間で無線接続を改めて設定する必要がある。
【０００７】
このように、ハンドオーバでは、無線接続の切断後に改めて無線接続を設定する必要があるため、無線接続が切断されている時間が長期化してしまう。
【０００８】
そこで、本発明は、上述した課題を解決するためになされたものであり、ハンドオーバにおいて無線接続が切断されている時間の短縮を図ることを可能とする無線通信システム、無線通信方法及び無線端末を提供することを目的とする。
【課題を解決するための手段】
【０００９】
一の特徴では、第１無線通信システムと、第２無線通信システムと、前記第１無線通信システム及び前記第２無線通信システムに個別に接続可能な無線端末とを含み、前記無線端末が前記第１無線通信システムから前記第２無線通信システムへのハンドオーバを行う無線通信システムにおいて、前記無線端末は、前記無線端末と前記第１無線通信システムとの間で設定されている第１無線接続が切断される前に、前記第２無線通信システムにおける前記無線端末の能力を示す端末能力情報を、前記第１無線接続を介して前記第１無線通信システムに送信し、前記第１無線通信システムは、前記第１無線接続が切断される前に、前記端末能力情報を前記第２無線通信システムに送信し、前記第２無線通信システムは、前記第１無線接続が切断される前に、前記無線端末と前記第２無線通信システムとの間で設定すべき第２無線接続で用いるパラメータを前記第１無線通信システムに送信し、前記第１無線通信システムは、前記第１無線接続が切断される前に、前記第１無線接続を介して前記パラメータを前記無線端末に送信する。
【００１０】
かかる特徴によれば、第１無線通信システムから第２無線通信システムへのハンドオーバを行うケースにおいて、無線端末は、第１無線通信システムの第１無線接続が切断される前に、第２無線通信システムの第２無線接続で用いるパラメータ（例えば、ＦＲＥＳＨ、ＭＡＣ−Ｉ、ＵＥＡ、ＵＩＡなど）を取得する。
【００１１】
すなわち、第１無線接続の切断前にセキュリティ手順などが予め行われており、第１無線接続の切断後にセキュリティ手順などを行う必要がないため、ハンドオーバにおいて無線接続が切断されている時間の短縮を図ることができる。
【００１２】
上述した特徴において、前記無線端末は、前記第２無線通信システムの無線品質を測定した上で、前記第２無線通信システムの無線品質の測定結果とともに前記端末能力情報を前記第１無線通信システムに送信することが好ましい。
【００１３】
上述した特徴において、前記無線端末は、前記第１無線通信システムの無線品質を測定した上で、前記第１無線通信システムの無線品質の測定結果を前記第１無線通信システムに送信し、前記第１無線通信システムは、前記第１無線通信システムの無線品質の測定結果に応じて、前記端末能力情報の送信要求を前記無線端末に送信することが好ましい。
【００１４】
上述した特徴において、前記無線端末は、前記ハンドオーバの開始前において、前記端末能力情報を予め送信し、前記第１無線通信システムは、前記ハンドオーバにおいて、前記無線端末から予め受信した前記端末能力情報を前記第２無線通信システムに送信することが好ましい。
【００１５】
上述した特徴において、前記第１無線通信システムは、前記第２無線通信システムの無線品質の測定結果に応じて、前記第１無線通信システムを用いて既に行われている通信に要求されるサービス品質を示すサービス品質情報を前記第２無線通信システムに引き継ぐリロケーション処理を開始し、前記リロケーション処理において、前記ハンドオーバの実行を要求するハンドオーバ要求とともに前記パラメータを前記無線端末に送信することが好ましい。
【００１６】
上述した特徴において、前記第２無線通信システムは、回線交換ドメイン及びパケット交換ドメインを含み、前記ハンドオーバは、前記第１無線通信システムから前記パケット交換ドメインへのハンドオーバであり、前記無線端末は、前記パケット交換ドメインを介してデータを受信した場合に、前記パケット交換ドメインから前記回線交換ドメインへのハンドオーバを開始することが好ましい。
【００１７】
一の特徴では、第１無線通信システムと、第２無線通信システムと、前記第１無線通信システム及び前記第２無線通信システムに個別に接続可能な無線端末とを含み、前記無線端末が前記第１無線通信システムから前記第２無線通信システムへのハンドオーバを行う無線通信方法は、前記無線端末が、前記無線端末と前記第１無線通信システムとの間で設定されている第１無線接続が切断される前に、前記第２無線通信システムにおける前記無線端末の能力を示す端末能力情報を、前記第１無線接続を介して前記第１無線通信システムに送信するステップと、前記第１無線通信システムが、前記第１無線接続が切断される前に、前記端末能力情報を前記第２無線通信システムに送信ステップと、前記第２無線通信システムが、前記第１無線接続が切断される前に、前記無線端末と前記第２無線通信システムとの間で設定すべき第２無線接続で用いるパラメータを前記第１無線通信システムに送信するステップと、前記第１無線通信システムが、前記第１無線接続が切断される前に、前記第１無線接続を介して前記パラメータを前記無線端末に送信するステップとを含む。
【００１８】
一の特徴では、第１無線通信システム及び第２無線通信システムに個別に接続可能であり、前記第１無線通信システムから前記第２無線通信システムへのハンドオーバを行う無線端末は、自端末と前記第１無線通信システムとの間で設定されている第１無線接続が切断される前に、前記第２無線通信システムにおける自端末の能力を示す端末能力情報を、前記第１無線通信システムを介して前記第２無線通信システムに送信する送信部と、前記第１無線接続が切断される前に、自端末と前記第２無線通信システムとの間で設定すべき第２無線接続で用いるパラメータを、前記第２無線通信システムから前記第１無線通信システムを介して受信する受信部とを備える。
【発明の効果】
【００１９】
本発明によれば、ハンドオーバにおいて無線接続が切断されている時間の短縮を図ることを可能とする無線通信システム、無線通信方法及び無線端末を提供することができる。
【発明を実施するための最良の形態】
【００２０】
以下において、本発明の実施形態に係る無線通信システムについて、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［第１実施形態］
（無線通信システムの概略）
以下において、第１実施形態に係る無線通信システムの概略について、図面を参照しながら説明する。図１は、第１実施形態に係る無線通信システムを示す概略図である。
【００２３】
なお、図１では、第１実施形態の説明に必要な構成のみが記載されていることに留意すべきである。従って、実際には、図１に示した構成以外にも、ＨＬＲ（Ｈｏｍｅ  Ｌｏｃａｔｉｏｎ  Ｒｅｇｉｓｔｅｒ）などの構成が無線通信システムに設けられていることに留意すべきである。
【００２４】
図１に示すように、無線通信システムは、無線端末１０と、ｅＮＢ１１０と、ＭＭＥ１２０と、Ｐ／Ｓ−ＧＷ１３０と、ＲＮＣ２１０と、ｅＲＮＣ２２０と、ＶＭＳＣ２３０と、ＭＧＣＦ／ＭＧＷ３１０と、ＶＣＣ３２０とを有する。
【００２５】
ここで、ｅＮＢ１１０、ＭＭＥ１２０及びＰ／Ｓ−ＧＷ１３０は、次世代無線通信システムを構成することに留意すべきである。ＭＭＥ１２０及びＰ／Ｓ−ＧＷ１３０は、ＥＰＣ１００（Ｅｖｏｌｖｅｄ  Ｐａｃｋｅｔ  Ｃｏｒｅ）上に設けられている。なお、ＥＰＣ１００は、次世代無線通信システムのコアネットワークである。
【００２６】
次世代無線通信システムでは、ＬＴＥ（Ｌｏｎｇ  Ｔｅｒｍ  Ｅｖｏｌｕｔｉｏｎ）やＳＡＥ（Ｓｙｓｔｅｍ  Ａｒｃｈｉｔｅｃｔｕｒｅ  Ｅｖｏｌｕｔｉｏｎ）などが用いられており、次世代無線通信システムは、“Ｓｕｐｅｒ  ３Ｇ”や“３．９  Ｇｅｎｅｒａｔｉｏｎ”などと称されることもある。
【００２７】
一方で、ＲＮＣ２１０、ｅＲＮＣ２２０及びＶＭＳＣ２３０は、第３世代無線通信システムを構成することに留意すべきである。ＶＭＳＣ２３０は、３Ｇネットワーク２００上に設けられている。なお、３Ｇネットワーク２００は、第３世代無線通信システムのコアネットワークである。
【００２８】
第３世代無線通信システムは、回線交換ドメイン及びパケット交換ドメインを有するが、第１実施形態では、回線交換ドメインについて主として説明する。
【００２９】
無線端末１０は、ｅＮＢ１１０を介してＥＰＣ１００に接続可能に構成されている。また、無線端末１０は、基地局（不図示）やＲＮＣ２１０を介して３Ｇネットワーク２００に接続可能に構成されている。但し、無線端末１０は、ＥＰＣ１００及び３Ｇネットワーク２００のいずれか一方のみとしか接続することができないことに留意すべきである。
【００３０】
すなわち、無線端末１０は、次世代無線通信システム及び第３世代無線通信システムに個別に接続可能に構成されている。
【００３１】
無線端末１０は、エリアＡからエリアＢに移動する場合に、次世代無線通信システムから第３世代無線通信システムへのハンドオーバを行うことが可能である。同様に、無線端末１０は、エリアＢからエリアＡに移動する場合に、第３世代無線通信システムから次世代無線通信システムへのハンドオーバを行うことが可能である。
【００３２】
第１実施形態では、次世代無線通信システムから第３世代無線通信システム（回線交換ドメイン）へのハンドオーバが行われるケースについて主として考える。なお、無線端末１０の詳細については後述する（図２を参照）。
【００３３】
ｅＮＢ１１０は、エリアＡを管理しており、エリアＡに在圏する無線端末１０と無線接続を設定する無線局（ｅｖｏｌｅｄ  ＮＯＤＥ  Ｂ）である。ｅＮＢ１１０は、無線端末１０の情報をｅＲＮＣ２２０に送信可能に構成されている。ｅＮＢ１１０は、ｅＲＮＣ２２０と無線端末１０との間の情報をｅＲＮＣ２２０から受信可能に構成されている。
【００３４】
例えば、ｅＮＢ１１０は、無線端末１０とｅＮＢ１１０との間で設定される無線接続を利用して無線端末１０の情報をｅＲＮＣ２２０に送信する。一方で、ｅＮＢ１１０は、無線端末１０とＲＮＣ２１０との間で設定される無線接続で用いるパラメータをｅＲＮＣ２２０から受信する。
【００３５】
パラメータとしては、各種メッセージの改竄を検出するために用いる乱数（ＦＲＥＳＨ）、秘匿アルゴリズム（Ｃｉｐｈｅｒｉｎｇ  Ａｌｇｏｒｉｔｈｍ）、改竄防止アルゴリズム（Ｉｎｔｅｇｒｉｔｙ  Ｐｒｏｔｅｃｔｉｏｎ  Ａｌｇｏｒｉｔｈｍ）、メッセージ認証コード情報（ＭＡＣ−Ｉ；Ｍｅｓｓａｇｅ  Ａｕｔｈｅｎｔｉｃａｔｉｏｎ  Ｃｏｄｅ  ｉｎｆｏｒｍａｔｉｏｎ）などのセキュリティパラメータが挙げられる。なお、セキュリティパラメータは、端末セキュリティ情報に応じて選択される。
【００３６】
また、パラメータとしては、“ＲＮＴＩ”、“ＲＡＢ  ｉｎｆｏ”、“ＲＢ  Ｃｏｎｆｉｇｕｒａｔｉｏｎ”などの無線パラメータが挙げられる。
【００３７】
なお、メッセージ認証コード情報（ＭＡＣ−Ｉ）は、メッセージに付加されており、メッセージから生成された情報（ＸＭＡＣ−Ｉ）と対比される。ＭＡＣ−ＩとＸＭＡＣ−Ｉとが一致する場合には、メッセージの改竄されていないと考えられ、ＭＡＣ−ＩとＸＭＡＣ−Ｉとが一致しない場合には、メッセージの改竄されていると考えられる。
【００３８】
ＭＭＥ１２０は、ｅＮＢ１１０と接続されており、ｅＮＢ１１０と無線接続を設定している無線端末１０の移動性を管理する装置（Ｍｏｂｉｌｉｔｙ  Ｍａｎａｇｅｍｅｎｔ  Ｅｎｔｉｔｙ）である。
【００３９】
Ｐ／Ｓ−ＧＷ１３０は、ＰＤＮ−ＧＷ（Ｐａｃｋｅｔ  Ｄａｔａ  Ｎｅｔｗｏｒｋ  Ｇａｔｅｗａｙ）及びＳ−ＧＷ（Ｓｅｒｖｉｎｇ  Ｇａｔｅｗａｙ）の総称である。ＰＤＮ−ＧＷ及びＳ−ＧＷは別々に設けられていてもよいことは勿論である。
【００４０】
ＰＤＮ−ＧＷは、ＥＰＣ１００と外部網（Ｐｕｂｌｉｃ  Ｄａｔａ  Ｎｅｔｗｏｒｋ）との境界に設けられたゲートウェイであり、無線端末１０にＩＰアドレスを割り当てる処理などを行う。第１実施形態では、ＰＤＮ−ＧＷはＩＭＳ３００と接続する。Ｓ−ＧＷは、ＥＰＣ１００内において無線端末１０からの信号を終端するゲートウェイである。
【００４１】
ＲＮＣ２１０は、エリアＢを管理しており、エリアＢに在圏する無線端末１０と無線接続を設定する無線局（Ｒａｄｉｏ  Ｎｅｔｗｏｒｋ  Ｃｏｎｔｒｏｌｌｅｒ）である。ＲＮＣ２１０は、無線端末１０とＲＮＣ２１０との間で設定される無線接続で用いるパラメータを設定する。
【００４２】
ｅＲＮＣ２２０は、ＲＮＣ２１０及びＶＭＳＣ２３０と接続された無線局（Ｅｖｏｌｖｅｄ  Ｒａｄｉｏ  Ｎｅｔｗｏｒｋ  Ｃｏｎｔｒｏｌｌｅｒ）である。ｅＲＮＣ２２０は、ｅＮＢ１１０と透過的に情報を送受信可能に構成されている。
【００４３】
例えば、ｅＲＮＣ２２０は、無線端末１０とＲＮＣ２１０との間で設定される無線接続で用いるパラメータをｅＮＢ１１０に送信する。一方で、ｅＲＮＣ２２０は、無線端末１０とｅＮＢ１１０との間で設定される無線接続で用いるパラメータをｅＮＢ１１０から受信する。
【００４４】
ＶＭＳＣ２３０は、回線交換ドメインにおいて回線交換を行う交換機（Ｖｉｓｉｔｅｄ  Ｍｏｂｉｌｅ  Ｓｗｉｔｃｈｉｎｇ  Ｃｅｎｔｅｒ）である。
【００４５】
ＭＧＣＦ／ＭＧＷ３１０は、ＭＧＣＦ（Ｍｅｄｉａ  Ｇａｔｅｗａｙ  Ｃｏｎｔｒｏｌｌ  Ｆｕｎｃｔｉｏｎ）及びＭＧＷ（Ｍｅｄｉａ  Ｇａｔｅｗａｙ）の総称である。ＭＧＣＦとＭＧＷとは別々に設けられていてもよいことは勿論である。
【００４６】
ＭＧＣＦは、Ｃ−ＰＬＡＮＥ上に設けられており、ＭＧＷを制御する機能を有する。ＭＧＷは、Ｕ−ＰＬＡＮＥ上に設けられており、音声情報のＣｏｄｅｃ方式の変換やＱｏＳ（Ｑｕａｌｉｔｙ  ｏｆ  Ｓｅｒｖｉｃｅ）制御などを行う。ＭＧＷは、ＳＴＭ（Ｓｙｎｃｈｒｏｎｏｕｓ  Ｔｒａｎｓｐｏｒｔ  Ｍｏｄｅ）、ＡＴＭ（Ａｓｙｎｃｈｒｏｎｏｕｓ  Ｔｒａｎｓｐｏｒｔ  Ｍｏｄｅ）、ＩＰ（Ｉｎｔｅｒｎｅｔ  Ｐｒｏｔｏｃｏｌ）などの通信方式を切り替える機能を有する。
【００４７】
ＶＣＣ３２０は、無線端末１０が接続する無線通信システムが切り替えられた場合に、呼制御情報などの制御情報の経路であるＣ−ＰＬＡＮＥを切り替えるアプリケーション（Ｖｏｉｃｅ  Ｃａｌｌ  Ｃｏｎｔｉｎｕｉｔｙ  Ａｐｐｌｉｃａｔｉｏｎ）を有する。
【００４８】
なお、ＭＧＣＦ／ＭＧＷ３１０及びＶＣＣ３２０は、ＩＭＳ３００（ＩＰ  Ｍｕｌｔｉｍｅｄｉａ  Ｓｕｂｓｙｓｔｅｍ）を構成する。
【００４９】
（無線端末の構成）
以下において、第１実施形態に係る無線端末の構成について、図面を参照しながら説明する。図２は、第１実施形態に係る無線端末１０の構成を示すブロック図である。
【００５０】
図２に示すように、無線端末１０は、無線機１１と、無線品質測定部１２と、端末情報記憶部１３と、制御部１４とを有する。
【００５１】
無線機１１は、アンテナなどを有しており、ｅＮＢ１１０と無線接続を設定する処理を行う。また、無線機１１は、ＲＮＣ２１０と無線接続を設定する処理を行う。但し、無線機１１は、ｅＮＢ１１０及びＲＮＣ２１０のいずれか一方のみとしか無線接続を設定することができない。
【００５２】
無線機１１は、ｅＮＢ１１０又はＲＮＣ２１０に各種情報を送信する機能を有する。無線機１１は、ｅＮＢ１１０又はＲＮＣ２１０から各種情報を受信する機能を有する。
【００５３】
無線品質測定部１２は、ｅＮＢ１１０によって管理されるエリアＡの無線品質を測定する。具体的には、無線品質測定部１２は、ｅＮＢ１１０から受信する信号の品質（下り基準信号（Ｄｏｗｎｌｉｎｋ  Ｒｅｆｅｒｅｎｃｅ  Ｓｉｇｎａｌ）の受信レベル、伝搬ロス（Ｐａｔｈｌｏｓｓ）、ＳＩＲやＢＬＥＲなど）をエリアＡの無線品質として測定する。なお、無線品質測定部１２は、ｅＮＢ１１０と無線接続が設定されていなくても、エリアＡの無線品質を測定することが可能であることに留意すべきである。
【００５４】
また、無線品質測定部１２は、ＲＮＣ２１０によって管理されるエリアＢの無線品質を測定する。具体的には、無線品質測定部１２は、ＲＮＣ２１０の配下に設けられた基地局（不図示）から受信する信号の品質（共通パイロットチャネル（ＣＰＩＣＨ；ＣｏｍｍｏｎＰｉｌｏｔ  Ｃｈａｎｎｅｌ）の受信レベル、伝搬ロス（Ｐａｔｈｌｏｓｓ）、Ｅｃ／ＮＯ、ＳＩＲやＢＬＥＲなど）をエリアＢの無線品質として測定する。なお、無線品質測定部１２は、ＲＮＣ２１０と無線接続が設定されていなくても、エリアＢの無線品質を測定することが可能であることに留意すべきである。
【００５５】
端末情報記憶部１３は、各通信システムにおける無線端末１０の能力を示す端末能力情報を記憶する。端末能力情報は、無線端末１０のセキュリティ能力を示す端末セキュリティ情報、無線端末１０の付加サービス能力や無線端末１０がサポートする周波数帯等を示す“ＭＳ  Ｃｌａｓｓｍａｒｋ”などである。例えば、端末セキュリティ情報は、無線端末１０が対応可能な暗号化アルゴリズム（ｃｉｐｈｅｒ  ａｌｇｏｒｉｔｈｍ）やメッセージ認証アルゴリズム（ｉｎｔｅｇｒｉｔｙ  ａｌｇｏｒｉｔｈｍ）を示す情報である。
【００５６】
制御部１４は、無線端末１０の動作を統括的に制御する。例えば、制御部１４は、無線通信システムからの要求に応じて、端末能力情報の送信を無線機１１に指示する。また、制御部１４は、無線品質測定部１２によって測定された無線品質の測定結果の送信を無線機１１に指示する。
【００５７】
（無線通信システムの動作）
以下において、第１実施形態に係る無線通信システムの動作について、図面を参照しながら説明する。図３及び図４は、第１実施形態に係る無線通信システムの動作を示すシーケンス図である。
【００５８】
なお、上述したように、第１実施形態では、次世代無線通信システムから第３世代無線通信システム（回線交換ドメイン）へのハンドオーバが行われるケースについて考える。
【００５９】
図３に示すように、ステップ１０１ａ〜ステップ１０１ｃにおいて、無線端末１０は、次世代無線通信システムと接続しており、次世代無線通信システムを介して無線端末２０と通信を行っている。第１実施形態では、無線端末１０は、無線端末２０と音声通信を行っているものとして説明する。
【００６０】
ステップ１０２において、無線端末１０は、ｅＮＢ１１０によって管理されるエリアＡの無線品質を測定した上で、エリアＡの無線品質の測定結果（Ｍｅａｓｕｒｅｍｅｎｔ  Ｒｅｐｏｒｔ）をｅＮＢ１１０に送信する。
【００６１】
ステップ１０３において、ｅＮＢ１１０は、エリアＢの無線品質の測定（Ｉｎｔｅｒ−ＲＡＴ  Ｍｅａｓｕｒｅｍｅｎｔ）を指示する情報（Ｍｅａｓｕｒｅｍｅｎｔ  Ｃｏｎｔｒｏｌ）を無線端末１０に送信する。なお、無線端末１０は、エリアＢの無線品質を測定した上で、エリアＢの無線品質の測定結果（Ｍｅａｓｕｒｅｍｅｎｔ  Ｒｅｐｏｒｔ）をｅＮＢ１１０に送信する。
【００６２】
ステップ１０４において、ＭＭＥ１２０は、次世代無線通信システム（ＬＴＥ）を用いて第３世代無線通信システムのセキュリティ手順を実行することを指示する情報を無線端末１０に送信する。
【００６３】
ステップ１０５において、無線端末１０は、自端末の識別子（ＩＭＳＩ；Ｉｎｔｅｒｎａｔｉｏｎａｌ  Ｍｏｂｉｌｅ  Ｓｕｂｓｃｒｉｂｅｒ  Ｉｄｅｎｔｉｔｙ）をＶＭＳＣ２３０に送信する（ＩＭＳＩ  ａｔｔａｃｈ）。
【００６４】
ステップ１０６ａ〜ステップ１０６ｃにおいて、無線端末１０は、セキュリティサービスを要求する情報（ＣＭ  Ｓｅｒｖｉｃｅ  Ｒｅｑｕｅｓｔ）をＶＭＳＣ２３０に送信する。セキュリティサービスを要求する情報は、ＴＭＳＩ（Ｔｅｍｐｏｒａｌｙ  Ｍｏｂｉｌｅ  Ｓｕｂｓｃｒｉｂｅｒ  Ｉｄｅｎｔｉｔｙ）、ＣＫＳＮ（Ｃｙｐｈｅｒ  Ｋｅｙ  Ｓｅｑｕｅｎｃｅ  Ｎｕｍｂｅｒ）及び端末能力情報（ＭＳ  Ｃｌａｓｓｍａｒｋ、端末セキュリティ情報）を含む。端末セキュリティ情報は、上述したように、無線端末１０のセキュリティ能力を示す情報である。“ＭＳ  Ｃｌａｓｓｍａｒｋ”は、無線端末１０の付加サービス能力や無線端末１０がサポートする周波数帯等を示す情報である。
【００６５】
ここで、ステップ１０６ａにおいて、無線端末１０は、自端末とｅＮＢ１１０との間で設定された無線接続を介して“ＣＭ  Ｓｅｒｖｉｃｅ  Ｒｅｑｕｅｓｔ”をｅＮＢ１１０に送信する。ステップ１０６ｂにおいて、ｅＮＢ１１０は、“ＣＭ  Ｓｅｒｖｉｃｅ  Ｒｅｑｕｅｓｔ”をｅＲＮＣ２２０に送信する。ステップ１０６ｃにおいて、ｅＲＮＣ２２０は、“ＣＭ  Ｓｅｒｖｉｃｅ  Ｒｅｑｕｅｓｔ”をＶＭＳＣ２３０に送信する。
【００６６】
ステップ１０７ａ〜ステップ１０７ｃにおいて、無線端末１０とＶＭＳＣ２３０との間で無線端末１０の認証処理が行われる。認証処理においても、ステップ１０６ａ〜ステップ１０６ｃと同様に、無線端末１０とｅＮＢ１１０との間で設定された無線接続が用いられる。なお、認証処理は省略されてもよい。
【００６７】
ステップ１０８において、ＶＭＳＣ２３０は、端末能力情報（端末セキュリティ情報）に応じて各種セキュリティパラメータを設定する。例えば、ＶＭＳＣ２３０は、ＵＩＡ（ＵＴＭＳ  Ｉｎｔｅｇｒｉｔｙ  Ａｌｇｏｒｉｔｈｍ）、ＩＫ（Ｉｎｔｅｇｒｉｔｙ  Ｋｅｙ）、ＵＥＡ（ＵＴＭＳ  Ｅｎｃｒｙｐｔｉｏｎ  Ａｌｇｏｒｉｔｈｍ）、ＣＫ（Ｃｙｐｈｅｒ  Ｋｅｙ）などを設定する。続いて、ＶＭＳＣ２３０は、各種セキュリティパラメータを含む情報（Ｓｅｃｕｒｉｔｙ  Ｍｏｄｅ  Ｃｏｍｍａｎｄ）をｅＲＮＣ２２０に送信する。
【００６８】
ステップ１０９ａ〜ステップ１０９ｂにおいて、ｅＲＮＣ２２０は、乱数（ＦＲＥＳＨ）やメッセージ認証コード情報（ＭＡＣ−Ｉ）をＲＮＣ２１０から取得した上で、これらを含む情報（Ｓｅｃｕｒｉｔｙ  Ｍｏｄｅ  Ｃｏｍｍａｎｄ）を無線端末１０に送信する。“Ｓｅｃｕｒｉｔｙ  Ｍｏｄｅ  Ｃｏｍｍａｎｄ”は、ＦＲＥＳＨ及びＭＡＣ−Ｉに加えて、ＶＭＳＣ２３０によって設定されたＵＩＡ及びＵＥＡを含む。
【００６９】
ここで、ステップ１０９ａにおいて、ｅＲＮＣ２２０は、“Ｓｅｃｕｒｉｔｙ  Ｍｏｄｅ  Ｃｏｍｍａｎｄ”をｅＮＢ１１０に送信する。ステップ１０９ｂにおいて、ｅＮＢ１１０は、無線端末１０とｅＮＢ１１０との間で設定された無線接続を介して“Ｓｅｃｕｒｉｔｙ  Ｍｏｄｅ  Ｃｏｍｍａｎｄ”を無線端末１０に送信する。
【００７０】
ステップ１１０ａ〜ステップ１１０ｂにおいて、無線端末１０は、ＶＭＳＣ２３０によって設定されたＵＩＡ及びＵＥＡの中から、第３世代無線通信システムで用いるＵＩＡ及びＵＥＡを選択する。続いて、無線端末１０は、第３世代無線通信システムでメッセージ認証が可能となったことを示す情報（Ｓｅｃｕｒｉｔｙ  Ｍｏｄｅ  Ｃｏｍｐｌｅｔｅ）をｅＲＮＣ２２０に送信する。“Ｓｅｃｕｒｉｔｙ  Ｍｏｄｅ  Ｃｏｍｐｌｅｔｅ”は、ＭＡＣ−Ｉ、無線端末１０によって選択されたＵＩＡ及びＵＥＡなどを含む。
【００７１】
ここで、ステップ１１０ａにおいて、無線端末１０は、自端末とｅＮＢ１１０との間で設定された無線接続を介して“Ｓｅｃｕｒｉｔｙ  Ｍｏｄｅ  Ｃｏｍｐｌｅｔｅ”をｅＮＢ１１０に送信する。ステップ１１０ｂにおいて、ｅＮＢ１１０は、“Ｓｅｃｕｒｉｔｙ  Ｍｏｄｅ  Ｃｏｍｐｌｅｔｅ”をｅＲＮＣ２２０に送信する。
【００７２】
ステップ１１１において、ｅＲＮＣ２２０は、無線端末１０によって選択されたＵＩＡ及びＵＥＡを含む情報（Ｓｅｃｕｒｉｔｙ  Ｍｏｄｅ  Ｃｏｍｐｌｅｔｅ）をＶＭＳＣ２３０に送信する。
【００７３】
ステップ１１２ａ〜ステップ１１２ｃにおいて、ＶＭＳＣ２３０は、セキュリティサービスの要求が受付けられたこと示す情報（ＣＭ  Ｓｅｒｖｉｃｅ  Ａｃｃｅｐｔ）を無線端末１０に送信する。
【００７４】
ここで、ステップ１１２ａにおいて、ＶＭＳＣ２３０は、“ＣＭ  Ｓｅｒｖｉｃｅ  Ａｃｃｅｐｔ”をｅＲＮＣ２２０に送信する。ステップ１１２ｂにおいて、ｅＲＮＣ２２０は、“ＣＭ  Ｓｅｒｖｉｃｅ  Ａｃｃｅｐｔ”をｅＮＢ１１０に送信する。ステップ１１２ｃにおいて、ｅＮＢ１１０は、無線端末１０とｅＮＢ１１０との間で設定された無線接続を介して“ＣＭ  Ｓｅｒｖｉｃｅ  Ａｃｃｅｐｔ”を無線端末１０に送信する。
【００７５】
ステップ１１３において、無線端末１０は、次世代無線通信システム（ＬＴＥ）を用いて第３世代無線通信システムのセキュリティ手順が完了したことを示す情報をＭＭＥ１２０に送信する。
【００７６】
図４に示すように、ステップ１２１において、無線端末１０は、次世代無線通信システムから第３世代無線通信システムへのハンドオーバを行うことを通知する情報をＶＣＣ３２０に送信する。
【００７７】
ステップ１２２において、ＶＣＣ３２０は、ハンドオーバ中に無線端末２０が音声通信を切断することを防ぐために、無線端末１０がハンドオーバを行っていることを通知する情報を無線端末２０に送信する。
【００７８】
ステップ１２３において、無線端末１０は、自端末とｅＮＢ１１０との間で設定されている無線接続の解放を要求する情報（ＥＰＳ  Ｂｅａｒｅｒ  ｄｅａｃｔｉｖａｔｉｏｎ）をＭＭＥ１２０に送信する。
【００７９】
ステップ１２４において、ｅＮＢ１１０、ＭＭＥ１２０及びＰ／Ｓ−ＧＷ１３０は、無線端末１０とｅＮＢ１１０との間で設定されている無線接続を解放する（ＥＰＳ  Ｂｅａｒｅｒ  ｒｅｌｅａｓｅ）。
【００８０】
ステップ１２５において、ＭＭＥ１２０は、無線端末１０とｅＮＢ１１０との間で設定されている無線接続が解放されたことを通知する情報（ＥＰＳ  Ｂｅａｒｅｒ  ｄｅａｃｔｉｖａｔｉｏｎ  ａｃｋ．）を無線端末１０に送信する。
【００８１】
ステップ１２６において、無線端末１０は、次世代無線通信システムから第３世代無線通信システムにモードを切り替える。
【００８２】
ステップ１２７において、無線端末１０及びＲＮＣ２１０は、無線端末１０とＲＮＣ２１０との間で、制御情報の送信経路（Ｃ−ＰＬＡＮＥ）を設定する（ＲＲＣ  Ｃｏｎｎｅｃｔｉｏｎ）。
【００８３】
ステップ１２８において、無線端末１０は、無線端末１０と無線端末２０との間で行われている音声通信を識別する切替用番号を含む情報（Ｓｅｔｕｐ）をＶＭＳＣ２３０に送信する。切替用番号としては、無線端末１０や無線端末２０の端末識別子、呼制御番号などを用いることが可能である。
【００８４】
ステップ１２９において、ＶＭＳＣ２３０は、無線端末１０にホストアドレスを割り当てることを要求する情報（ＩＡＭ；Ｉｎｉｔｉａｌ  Ａｄｄｒｅｓｓ  Ｍｅｓｓａｇｅ）をＭＧＣＦ／ＭＧＷ３１０に送信する。
【００８５】
ステップ１３０において、ＭＧＣＦ／ＭＧＷ３１０は、無線端末２０の呼び出しを要求する情報（Ｉｎｖｉｔｅ）をＶＣＣ３２０に送信する。
【００８６】
ステップ１３１において、ＶＣＣ３２０は、無線端末２０の呼び出しを要求する情報（Ｒｅ−Ｉｎｖｉｔｅ）を無線端末２０に送信する。
【００８７】
ステップ１３２において、無線端末２０は、自端末の呼び出しを受付けたことを通知する情報（２００  ＯＫ）をＶＣＣ３２０に送信する。
【００８８】
ステップ１３３において、ＶＣＣ３２０は、無線端末２０の呼び出しが受付けられたことを通知する情報（２００  ＯＫ）をＭＧＣＦ／ＭＧＷ３１０に送信する。
【００８９】
ステップ１３４において、ＭＧＣＦ／ＭＧＷ３１０は、無線端末１０と無線端末２０との間で無線接続（Ｕ−ＰＬＡＮＥ）が設定されたことを通知する情報（ＡＮＭ；Ａｎｓｗｅｒ  Ｍｅｓｓａｇｅ）をＶＭＳＣ２３０に送信する。
【００９０】
ステップ１３５において、ＶＭＳＣ２３０は、無線端末１０とＲＮＣ２１０との間で無線接続を設定することを要求する情報（ＲＡＢ  Ｓｅｔｕｐ  ｒｅｑ．）をＲＮＣ２１０に送信する。
【００９１】
ステップ１３６において、無線端末１０及びＲＮＣ２１０は、ステップ１０６〜ステップ１１１で設定されたセキュリティ情報（ＦＲＥＳＨ、ＭＡＣ−Ｉ、無線端末１０によって選択されたＵＥＡ及びＵＩＡ）を用いて、無線端末１０とＲＮＣ２１０との間で無線接続を設定する。
【００９２】
ステップ１３７において、ＲＮＣ２１０は、無線端末１０とＲＮＣ２１０との間で無線接続が設定されたことを通知する情報（ＲＡＢ  Ｓｅｔｕｐ  ｒｅｓｐ．）をＶＭＳＣ２３０に送信する。
【００９３】
ステップ１３８において、ＶＭＳＣ２３０は、無線端末１０と無線端末２０との間でＵ−ＰＬＡＮＥが設定されたことを通知する情報（ＣＯＮＮＥＣＴ）を無線端末１０に送信する。
【００９４】
ステップ１３９ａ〜ステップ１３９ｄにおいて、無線端末１０は、第３世代無線通信システムを介して無線端末２０と音声通信を開始する。
【００９５】
（作用及び効果）
第１実施形態によれば、次世代無線通信システムから第３世代無線通信システムへのハンドオーバを行うケースにおいて、無線端末１０は、自端末とｅＮＢ１１０との間で設定された無線接続が切断される前に、自端末とＲＮＣ２１０との間で設定すべき無線接続で用いるパラメータ（例えば、ＦＲＥＳＨ、ＭＡＣ−Ｉ、ＵＥＡ、ＵＩＡなど）を取得する。
【００９６】
すなわち、無線端末１０とｅＮＢ１１０との間で設定された無線接続の切断前に、第３世代無線通信システムのセキュリティ手順が予め行われており、無線端末１０とｅＮＢ１１０との間で設定された無線接続の切断後に第３世代無線通信システムのセキュリティ手順を行う必要がないため、ハンドオーバにおいて無線接続が切断されている時間の短縮を図ることができる。
【００９７】
［第２実施形態］
以下において、第２実施形態について図面を参照しながら説明する。以下においては、上述した第１実施形態と第２実施形態との相違点について主として説明する。
【００９８】
具体的には、上述した第１実施形態では、次世代無線通信システムから第３世代無線通信システムへのハンドオーバにおいて、無線端末１０と次世代無線通信システムとの間で設定された無線接続を切断する前に、第３世代無線通信システムのセキュリティ手順が実行される。
【００９９】
これに対して、第２実施形態では、次世代無線通信システムから第３世代無線通信システムへのハンドオーバにおいて、無線端末１０と次世代無線通信システムとの間で設定された無線接続を切断する前に、第３世代無線通信システムのセキュリティ手順だけではなくて、次世代無線通信システムを用いて既に行われている音声通信に要求されるサービス品質を第３世代無線通信システムに引き継ぐリロケーション処理が行われる。
【０１００】
（無線通信システムの概略）
以下において、第２実施形態に係る無線通信システムの概略について、図面を参照しながら説明する。図５は、第２実施形態に係る無線通信システムを示す概略図である。なお、図５では、上述した図１と同様の構成について同様の符号を付していることに留意すべきである。
【０１０１】
図５に示すように、無線通信システムは、ｅＲＮＣ２２０に代えて、ＩＷＦ２４０を有する。なお、ＶＭＳＣ２３０及びＩＷＦ２４０は同一の装置に設けられていてもよい。
【０１０２】
ＩＷＦ２４０は、ＭＭＥ１２０と情報を送受信する機能（Ｉｎｔｅｒｗｏｒｋｉｎｇ  Ｆｕｎｃｔｉｏｎ）を有する。例えば、ＩＷＦ２４０は、無線端末１０とＲＮＣ２１０との間で設定される無線接続で用いるパラメータ（第３世代無線通信システムで生成されたパラメータ）をｅＮＢ１１０に送信する。一方で、ＩＷＦ２４０は、無線端末１０とｅＮＢ１１０との間で設定される無線接続で用いるパラメータ（ＥＰＣ及びＬＴＥで生成されたパラメータ）をｅＮＢ１１０から受信する。
【０１０３】
（無線通信システムの動作）
以下において、第２実施形態に係る無線通信システムの動作について、図面を参照しながら説明する。図６及び図７は、第２実施形態に係る無線通信システムの動作を示すシーケンス図である。
【０１０４】
なお、第２実施形態では、第１実施形態と同様に、次世代無線通信システムから第３世代無線通信システム（回線交換ドメイン）へのハンドオーバが行われるケースについて考える。
【０１０５】
図６に示すように、ステップ２０１ａ〜ステップ２０１ｃにおいて、無線端末１０は、次世代無線通信システムと接続しており、次世代無線通信システムを介して無線端末２０と通信を行っている。第２実施形態では、無線端末１０は、無線端末２０と音声通信を行っているものとして説明する。
【０１０６】
ステップ２０２において、無線端末１０は、ｅＮＢ１１０によって管理されるエリアＡの無線品質を測定した上で、エリアＡの無線品質の測定結果（Ｍｅａｓｕｒｅｍｅｎｔ  Ｒｅｐｏｒｔ）をｅＮＢ１１０に送信する。
【０１０７】
ステップ２０３において、ｅＮＢ１１０は、エリアＢの無線品質の測定（Ｉｎｔｅｒ−ＲＡＴ  Ｍｅａｓｕｒｅｍｅｎｔ）を指示する情報（Ｍｅａｓｕｒｅｍｅｎｔ  Ｃｏｎｔｒｏｌ）を無線端末１０に送信する。ここで、“Ｍｅｓｕｒｅｍｅｎｔ  Ｃｏｎｔｒｏｌ”は、無線端末１０の端末能力情報（端末セキュリティ情報や“ＭＳ  Ｃｌａｓｓｍａｒｋ”）の送信を要求する情報を含む。
【０１０８】
ステップ２０４において、無線端末１０は、エリアＢの無線品質を測定した上で、エリアＢの無線品質の測定結果（Ｍｅａｓｕｒｅｍｅｎｔ  Ｒｅｐｏｒｔ）をｅＮＢ１１０に送信する。ここで、“Ｍｅａｓｕｒｅｍｅｎｔ  Ｒｅｐｏｒｔ”は、端末能力情報（端末セキュリティ情報や“ＭＳ  Ｃｌａｓｓｍａｒｋ”）を含む。
【０１０９】
ステップ２０５において、ｅＮＢ１１０は、エリアＡからエリアＢへのリロケーション処理を要求する情報（Ｒｅｌｏｃａｔｉｏｎ  Ｒｅｑｕｉｒｅｄ）をＭＭＥ１２０に送信する。ここで、“Ｒｅｌｏｃａｔｉｏｎ  Ｒｅｑｕｉｒｅｄ”は、エリアＢの無線品質の測定結果、無線端末１０の識別子（Ｓ−ＴＭＳＩ；ＳＡＥ−Ｔｅｍｐｏｒａｌｙ  Ｍｏｂｉｌｅ  Ｓｕｂｓｃｒｉｂｅｒ  Ｉｄｅｎｔｉｔｙ）、端末能力情報（端末セキュリティ情報や“ＭＳ  Ｃｌａｓｓｍａｒｋ”）を含む。なお、Ｓ−ＴＭＳＩは、次世代無線通信システムでユーザを一時的に識別する識別子である。
【０１１０】
ステップ２０６において、ＭＭＥ１２０は、次世代無線通信システム（ＬＴＥ）を用いて第３世代無線通信システムのセキュリティ手順及びリロケーション処理を実行することを指示する情報を無線端末１０に送信する。
【０１１１】
ステップ２０７において、無線端末１０は、自端末の識別子（ＩＭＳＩ；Ｉｎｔｅｒｎａｔｉｏｎａｌ  Ｍｏｂｉｌｅ  Ｓｕｂｓｃｒｉｂｅｒ  Ｉｄｅｎｔｉｔｙ）をＶＭＳＣ２３０に送信する（ＩＭＳＩ  ａｔｔａｃｈ）。なお、“ＩＭＳＩ  ａｔｔａｃｈ処理”が既に行われている場合には、ステップ２０７の処理は省略されてもよい。
【０１１２】
ステップ２０８において、無線端末１０は、第３世代無線通信システム（ＶＭＳＣ２３０）へのアタッチ処理が完了したことを示す情報をＭＭＥ１２０に送信する。
【０１１３】
ステップ２０９において、ＭＭＥ１２０は、エリアＡからエリアＢへのリロケーション処理を要求する情報（Ｆｏｒｗａｒｄ  Ｒｅｌｏｃａｔｉｏｎ  Ｒｅｑｕｅｓｔ）をＩＷＦ２４０に送信する。ここで、“Ｆｏｒｗａｒｄ  Ｒｅｌｏｃａｔｉｏｎ  Ｒｅｑｕｅｓｔ”は、次世代無線通信システムを用いて既に行われている音声通信に要求されるサービス品質を示すサービス品質情報（ＱｏＳ；Ｑｕａｌｉｔｙ  ｏｆ  Ｓｅｒｖｉｃｅ）、無線端末１０の識別子（ＩＭＳＩ）を含む。また、“Ｆｏｒｗａｒｄ  Ｒｅｌｏｃａｔｉｏｎ  Ｒｅｑｕｅｓｔ”は、無線端末１０の端末能力情報（端末セキュリティ情報や“ＭＳ  Ｃｌａｓｓｍａｒｋ”）を含む。
【０１１４】
ステップ２１０において、ＩＷＦ２４０は、次世代無線通信システムから第３世代無線通信システムへのハンドオーバの準備を指示する情報（ハンドオーバ準備指示）をＶＭＳＣ２３０に送信する。
【０１１５】
ステップ２１１において、ＶＭＳＣ２３０は、エリアＡからエリアＢへのリロケーション処理を要求する情報（Ｒｅｌｏｃａｔｉｏｎ  Ｒｅｑｕｅｓｔ）をＲＮＣ２１０に送信する。
【０１１６】
ステップ２１２において、ＲＮＣ２１０は、乱数（ＦＲＥＳＨ）やメッセージ認証コード情報（ＭＡＣ−Ｉ）を設定した上で、これらを含む情報（Ｒｅｌｏｃａｔｉｏｎ  Ｒｅｓｐｏｎｓｅ）をＶＭＳＣ２３０に送信する。
【０１１７】
ステップ２１３において、ＶＭＳＣ２３０は、端末能力情報（端末セキュリティ情報や“ＭＳ  Ｃｌａｓｓｍａｒｋ”）に応じて各種パラメータを設定した上で、各種パラメータを含む情報（ハンドオーバ準備指示＿回答）をＩＷＦ２４０に送信する。ここで、各種パラメータは、ＵＩＡ、ＩＫ、ＵＥＡ、ＣＫなどである。“ハンドオーバ準備指示＿回答”は、ＲＮＣ２１０によって設定された乱数（ＦＲＥＳＨ）やメッセージ認証コード情報（ＭＡＣ−Ｉ）を含む。
【０１１８】
ステップ２１４において、ＩＷＦ２４０は、“Ｆｏｒｗａｒｄ  Ｒｅｌｏｃａｔｉｏｎ  Ｒｅｑｕｅｓｔ”に対する応答（Ｆｏｒｗａｒｄ  Ｒｅｌｏｃａｔｉｏｎ  Ｒｅｓｐｏｎｓｅ）をＭＭＥ１２０に送信する。“Ｆｏｒｗａｒｄ  Ｒｅｌｏｃａｔｉｏｎ  Ｒｅｓｐｏｎｓｅ”は、ＶＭＳＣ２３０によって設定された各種パラメータ、ＲＮＣ２１０によって設定された乱数（ＦＲＥＳＨ）やメッセージ認証コード情報（ＭＡＣ−Ｉ）を含む。
【０１１９】
なお、ステップ２１４の処理によって、セキュリティ手順及びリロケーション処理の準備が完了する。
【０１２０】
ステップ２２１において、ＭＭＥ１２０は、エリアＡからエリアＢへのリロケーションを要求する情報（Ｒｅｌｏｃａｔｉｏｎ  Ｃｏｍｍａｎｄ）をｅＮＢ１１０に送信する。“Ｒｅｌｏｃａｔｉｏｎ  Ｃｏｍｍａｎｄ”は、ＶＭＳＣ２３０によって設定された各種パラメータ、ＲＮＣ２１０によって設定された乱数（ＦＲＥＳＨ）やメッセージ認証コード情報（ＭＡＣ−Ｉ）を含む。
【０１２１】
ステップ２２２において、ｅＮＢ１１０は、次世代無線通信システムから第３世代無線通信システムへのハンドオーバを指示する情報（ＨＯ  Ｃｏｍｍａｎｄ）を無線端末１０に送信する。ここで、“ＨＯ  Ｃｏｍｍａｎｄ”は、“ＲＮＴＩ”、“ＲＡＢ  ｉｎｆｏ”、“ＲＢ  Ｃｏｎｆｉｇｕｒａｔｉｏｎ”、セキュリティ情報などを含む。セキュリティ情報は、ＶＭＳＣ２３０によって設定された各種セキュリティパラメータ（ＵＥＡ及びＵＩＡ）、ＲＮＣ２１０によって設定されたＦＲＥＳＨ及びＭＡＣ−Ｉを含む。
【０１２２】
ステップ２２３において、無線端末１０は、次世代無線通信システムから第３世代無線通信システムにモードを切り替える。
【０１２３】
ステップ２２４において、無線端末１０は、ステップ２２２で受信した情報（“ＭＡＣ−Ｉ”、“ＦＲＥＳＨ”、“ＵＥＡ”、“ＵＩＡ”、“ＲＮＴＩ”、“ＲＡＢ  ｉｎｆｏ”、“ＲＢ  ｃｏｎｆｉｇｕｒａｔｉｏｎ”など）を用いて、無線端末１０とＲＮＣ２１０との間で無線接続を設定する。続いて、無線端末１０は、次世代無線通信システムから第３世代無線通信システムへのハンドオーバが完了したことを通知する情報（ＨＯ  ｃｏｍｐｌｅｔｅ）をＲＮＣ２１０に送信する。
【０１２４】
ステップ２２５において、ＲＮＣ２１０は、エリアＡからエリアＢへのリロケーション処理が完了したことを通知する情報（Ｒｅｌｏｃａｔｉｏｎ  Ｃｏｍｐｌｅｔｅ）をＶＭＳＣ２３０に送信する。
【０１２５】
ステップ２２６において、ＶＭＳＣ２３０は、無線端末１０にホストアドレスを割り当てることを要求する情報（ＩＡＭ；Ｉｎｉｔｉａｌ  Ａｄｄｒｅｓｓ  Ｍｅｓｓａｇｅ）をＭＧＣＦ／ＭＧＷ３１０に送信する。
【０１２６】
ステップ２２７において、ＭＧＣＦ／ＭＧＷ３１０は、無線端末２０の呼び出しを要求する情報（Ｉｎｖｉｔｅ）をＶＣＣ３２０に送信する。
【０１２７】
ステップ２２８において、ＶＣＣ３２０は、無線端末２０の呼び出しを要求する情報（Ｒｅ−Ｉｎｖｉｔｅ）を無線端末２０に送信する。
【０１２８】
ステップ２２９において、無線端末２０は、自端末の呼び出しを受付けたことを通知する情報（２００  ＯＫ）をＶＣＣ３２０に送信する。
【０１２９】
ステップ２３０において、ＶＣＣ３２０は、無線端末２０の呼び出しが受付けられたことを通知する情報（２００  ＯＫ）をＭＧＣＦ／ＭＧＷ３１０に送信する。
【０１３０】
ステップ２３１において、ＭＧＣＦ／ＭＧＷ３１０は、無線端末１０と無線端末２０との間でＵ−ＰＬＡＮＥが設定されたことを通知する情報（ＡＮＭ；Ａｎｓｗｅｒ  Ｍｅｓｓａｇｅ）をＶＭＳＣ２３０に送信する。
【０１３１】
ステップ２３２ａ〜ステップ２３２ｄにおいて、無線端末１０は、次世代無線通信システムを介して無線端末２０と音声通信を開始する。
【０１３２】
（作用及び効果）
第２実施形態によれば、第１実施形態と同様に、無線端末１０とｅＮＢ１１０との間で設定された無線接続の切断前に、第３世代無線通信システムのセキュリティ手順及び無線端末１０への無線パラメータの通知が予め行われるため、ハンドオーバにおいて無線接続が切断されている時間の短縮を図ることができる。
【０１３３】
［第３実施形態］
以下において、第３実施形態について図面を参照しながら説明する。以下においては、上述した第１実施形態と第３実施形態との相違点について主として説明する。
【０１３４】
具体的には、上述した第１実施形態では、次世代無線通信システムから第３世代無線通信システム（回線交換ドメイン）へのハンドオーバについて考えた。
【０１３５】
これに対して、第３実施形態では、次世代無線通信システムから第３世代無線通信システム（パケット交換ドメイン）へのハンドオーバが行われた後に、第３世代無線通信システム（パケット交換ドメイン）から第３世代無線通信システム（回線交換ドメイン）へのハンドオーバが行われる。
【０１３６】
（無線通信システムの概略）
以下において、第３実施形態に係る無線通信システムの概略について、図面を参照しながら説明する。図８は、第３実施形態に係る無線通信システムを示す概略図である。なお、図８では、上述した図１と同様の構成について同様の符号を付していることに留意すべきである。
【０１３７】
図８に示すように、３Ｇネットワーク２００は、回線交換ドメイン２００ａとパケット交換ドメイン２００ｂとを有する。回線交換ドメイン２００ａには、上述したＶＭＳＣ２３０が設けられている。一方で、パケット交換ドメイン２００ｂには、ＳＧＳＮ２５０が設けられている。
【０１３８】
ＳＧＳＮ２５０は、パケット交換ドメイン２００ｂにおいてパケット交換を行う装置（Ｓｅｒｖｉｎｇ  ＧＰＲＳ  Ｓｕｐｐｏｒｔ  Ｎｏｄｅ）である。ＳＧＳＮ２５０は、ＭＭＥ１２０及びＰ／Ｓ−ＧＷ１３０に接続されており、ＭＭＥ１２０及びＰ／Ｓ−ＧＷ１３０と各種情報を送受信可能である。
【０１３９】
（無線通信システムの動作）
以下において、第３実施形態に係る無線通信システムの動作について、図面を参照しながら説明する。図９〜図１１は、第２実施形態に係る無線通信システムの動作を示すシーケンス図である。
【０１４０】
なお、第３実施形態では、上述したように、次世代無線通信システムから第３世代無線通信システム（パケット交換ドメイン）へのハンドオーバが行われた後に、第３世代無線通信システム（パケット交換ドメイン）から第３世代無線通信システム（回線交換ドメイン）へのハンドオーバが行われるケースについて考える。
【０１４１】
図９に示すように、ステップ３０１ａ〜ステップ３０１ｃにおいて、無線端末１０は、次世代無線通信システムと接続しており、次世代無線通信システムを介して無線端末２０と通信を行っている。第３実施形態では、無線端末１０は、無線端末２０と音声通信を行っているものとして説明する。
【０１４２】
ステップ３０２において、無線端末１０は、ｅＮＢ１１０によって管理されるエリアＡの無線品質を測定した上で、エリアＡの無線品質の測定結果（Ｍｅａｓｕｒｅｍｅｎｔ  Ｒｅｐｏｒｔ）をｅＮＢ１１０に送信する。
【０１４３】
ステップ３０３において、ｅＮＢ１１０は、エリアＢの無線品質の測定（Ｉｎｔｅｒ−ＲＡＴ  Ｍｅａｓｕｒｅｍｅｎｔ）を指示する情報（Ｍｅａｓｕｒｅｍｅｎｔ  Ｃｏｎｔｒｏｌ）を無線端末１０に送信する。ここで、“Ｍｅｓｕｒｅｍｅｎｔ  Ｃｏｎｔｒｏｌ”は、無線端末１０の端末能力情報（端末セキュリティ情報や“ＭＳ  Ｃｌａｓｓｍａｒｋ”）の送信を要求する情報を含む。
【０１４４】
ステップ３０４において、無線端末１０は、エリアＢの無線品質を測定した上で、エリアＢの無線品質の測定結果（Ｍｅａｓｕｒｅｍｅｎｔ  Ｒｅｐｏｒｔ）をｅＮＢ１１０に送信する。ここで、“Ｍｅａｓｕｒｅｍｅｎｔ  Ｒｅｐｏｒｔ”は、端末能力情報（端末セキュリティ情報や“ＭＳ  Ｃｌａｓｓｍａｒｋ”）を含む。
【０１４５】
ステップ３０５において、ｅＮＢ１１０は、エリアＡからエリアＢへのリロケーション処理を要求する情報（Ｒｅｌｏｃａｔｉｏｎ  Ｒｅｑｕｉｒｅｄ）をＭＭＥ１２０に送信する。ここで、“Ｒｅｌｏｃａｔｉｏｎ  Ｒｅｑｕｉｒｅｄ”は、エリアＢの無線品質の測定結果、無線端末１０の識別子（Ｓ−ＴＭＳＩ；Ｓｅｃｏｎｄａｒｙ−Ｔｅｍｐｏｒａｌｙ  Ｍｏｂｉｌｅ  Ｓｕｂｓｃｒｉｂｅｒ  Ｉｄｅｎｔｉｔｙ）、端末能力情報（端末セキュリティ情報や“ＭＳ  Ｃｌａｓｓｍａｒｋ”）を含む。
【０１４６】
ステップ３０６において、ＭＭＥ１２０は、エリアＡからエリアＢへのリロケーション処理を要求する情報（Ｆｏｒｗａｒｄ  Ｒｅｌｏｃａｔｉｏｎ  Ｒｅｑｕｅｓｔ）をＳＧＳＮ２５０に送信する。ここで、“Ｆｏｒｗａｒｄ  Ｒｅｌｏｃａｔｉｏｎ  Ｒｅｑｕｅｓｔ”は、次世代無線通信システムを用いて既に行われている音声通信に要求されるサービス品質を示すサービス品質情報（ＱｏＳ；Ｑｕａｌｉｔｙ  ｏｆ  Ｓｅｒｖｉｃｅ）、無線端末１０の識別子（ＩＭＳＩ）を含む。また、“Ｆｏｒｗａｒｄ  Ｒｅｌｏｃａｔｉｏｎ  Ｒｅｑｕｅｓｔ”は、無線端末１０の端末能力情報（端末セキュリティ情報や“ＭＳ  Ｃｌａｓｓｍａｒｋ”）を含む。
【０１４７】
ステップ３０７において、ＲＮＣ２１０及びＳＧＳＮ２５０は、ＲＮＣ２１０とＳＧＳＮ２５０との間で各種情報を送受信するベアラを設定する（ＲＡＢｓ  Ｅｓｔａｂｌｉｓｈｍｅｎｔ）。ここで、ＳＧＳＮ２５０は、端末能力情報（端末セキュリティ情報）に応じて各種パラメータを設定する。ＲＮＣ２１０は、乱数（ＦＲＥＳＨ）やメッセージ認証コード情報（ＭＡＣ−Ｉ）を設定する。
【０１４８】
ステップ３０８において、ＳＧＳＮ２５０は、“Ｆｏｒｗａｒｄ  Ｒｅｌｏｃａｔｉｏｎ  Ｒｅｑｕｅｓｔ”に対する応答（Ｆｏｒｗａｒｄ  Ｒｅｌｏｃａｔｉｏｎ  Ｒｅｓｐｏｎｓｅ）をＭＭＥ１２０に送信する。“Ｆｏｒｗａｒｄ  Ｒｅｌｏｃａｔｉｏｎ  Ｒｅｓｐｏｎｓｅ”は、ＳＧＳＮ２５０によって設定された各種パラメータ、ＲＮＣ２１０によって設定された乱数（ＦＲＥＳＨ）やメッセージ認証コード情報（ＭＡＣ−Ｉ）を含む。これらの情報は、パケット交換ドメイン２００ｂのセキュリティ手順で用いられる情報である。
【０１４９】
ステップ３０９において、ＭＭＥ１２０は、エリアＡからエリアＢへのリロケーションを要求する情報（Ｒｅｌｏｃａｔｉｏｎ  Ｃｏｍｍａｎｄ）をｅＮＢ１１０に送信する。“Ｒｅｌｏｃａｔｉｏｎ  Ｃｏｍｍａｎｄ”は、ＳＧＳＮ２５０によって設定された各種パラメータ、ＲＮＣ２１０によって設定された乱数（ＦＲＥＳＨ）やメッセージ認証コード情報（ＭＡＣ−Ｉ）を含む。
【０１５０】
ステップ３１０において、ｅＮＢ１１０は、次世代無線通信システムから第３世代無線通信システム（パケット交換ドメイン２００ｂ）へのハンドオーバを指示する情報（ＨＯ  Ｃｏｍｍａｎｄ）を無線端末１０に送信する。ここで、“ＨＯ  Ｃｏｍｍａｎｄ”は、“ＲＮＴＩ”、“ＲＡＢ  ｉｎｆｏ”、“ＲＢ  Ｃｏｎｆｉｇｕｒａｔｉｏｎ”、セキュリティ情報などを含む。セキュリティ情報は、ＶＭＳＣ２３０によって設定された各種パラメータ（ＵＥＡ及びＵＩＡ）、ＲＮＣ２１０によって設定されたＦＲＥＳＨ及びＭＡＣ−Ｉを含む。
【０１５１】
ステップ３１１において、ｅＮＢ１１０は、“Ｆｏｒｗａｒｄ  ＳＲＮＳ  Ｃｏｎｔｅｘｔ”をＭＭＥ１２０に送信する。
【０１５２】
ステップ３１２において、ＭＭＥ１２０は、“Ｆｏｒｗａｒｄ  ＳＲＮＳ  Ｃｏｎｔｅｘｔ”をＳＧＳＮ２５０に送信する。
【０１５３】
ステップ３１３において、ＳＧＳＮ２５０は、“Ｆｏｒｗａｒｄ  ＳＲＮＳ  Ｃｏｎｔｅｘｔ”をＲＮＣ２１０に送信する。
【０１５４】
ステップ３２１において、無線端末１０は、次世代無線通信システムから第３世代無線通信システムにモードを切り替える。
【０１５５】
ステップ３２２において、無線端末１０は、ステップ３１０で受信した情報（“ＭＡＣ−Ｉ”、“ＦＲＥＳＨ”、“ＵＥＡ”、“ＵＩＡ”、“ＲＮＴＩ”、“ＲＡＢ  ｉｎｆｏ”、“ＲＢ  ｃｏｎｆｉｇｕｒａｔｉｏｎ”など）を用いて、無線端末１０とＲＮＣ２１０との間で無線接続を設定する。続いて、無線端末１０は、次世代無線通信システムから第３世代無線通信システム（パケット交換ドメイン２００ｂ）へのハンドオーバが完了したことを通知する情報（ＨＯ  ｃｏｍｐｌｅｔｅ）をＲＮＣ２１０に送信する。
【０１５６】
ステップ３２３において、ＲＮＣ２１０は、エリアＡからエリアＢへのリロケーション処理が完了したことを通知する情報（Ｒｅｌｏｃａｔｉｏｎ  Ｃｏｍｐｌｅｔｅ）をＳＧＳＮ２５０に送信する。
【０１５７】
ステップ３２４において、ＳＧＳＮ２５０は、エリアＡからエリアＢへのリロケーション処理が完了したことを通知する情報（Ｆｏｒｗａｒｄ  Ｒｅｌｏｃａｔｉｏｎ  Ｃｏｍｐｌｅｔｅ）をＭＭＥ１２０に送信する。
【０１５８】
ステップ３２５において、ＭＭＥ１２０は、“Ｆｏｒｗａｒｄ  Ｒｅｌｏｃａｔｉｏｎ  Ｃｏｍｐｌｅｔｅ”を受付けたことを示す情報（Ｆｏｒｗａｒｄ  Ｒｅｌｏｃａｔｉｏｎ  Ｃｏｍｐｌｅｔｅ  ａｃｋ．）をＳＧＳＮ２５０に送信する。
【０１５９】
ステップ３２６において、ＳＧＳＮ２５０は、ＰＤＰコンテキストの更新を要求する情報（Ｕｐｄａｔｅ  ＰＤＰ  Ｃｏｎｔｘｔｓ  ｒｅｑ．）をＰ／Ｓ−ＧＷ１３０に送信する。
【０１６０】
ステップ３２７において、Ｐ／Ｓ−ＧＷ１３０は、“Ｕｐｄａｔｅ  ＰＤＰ  Ｃｏｎｔｘｔｓ  ｒｅｑ．”に応じて、無線端末１０の無線接続を切り替える。具体的には、Ｐ／Ｓ−ＧＷ１３０は、無線端末１０とｅＮＢ１１０との間で設定されていた無線接続を、無線端末１０とＲＮＣ２１０との間で新たに設定された無線接続に切り替える。
【０１６１】
ステップ３２８ａ〜ステップ３２８ｄにおいて、無線端末１０及び無線端末２０は、新たに設定された無線接続（パケット交換ドメイン２００ｂ上に設定されたＵ−ＰＬＡＮＥ）を介して音声通信を行う。
【０１６２】
ステップ３２９において、無線端末１０は、新たに設定された無線接続（パケット交換ドメイン２００ｂ上に設定されたＵ−ＰＬＡＮＥ）で音声データを受信する。
【０１６３】
ステップ３３０において、無線端末１０は、セキュリティサービスを要求する情報（ＣＭ  Ｓｅｒｖｉｃｅ  Ｒｅｑｕｅｓｔ）をＰ／Ｓ−ＧＷ１３０に送信する。“ＣＭ  Ｓｅｒｖｉｃｅ  Ｒｅｑｕｅｓｔ”は、ＴＭＳＩ（Ｔｅｍｐｏｒａｌｙ  Ｍｏｂｉｌｅ  Ｓｕｂｓｃｒｉｂｅｒ  Ｉｄｅｎｔｉｔｙ）、ＣＫＳＮ（Ｃｙｐｈｅｒ  Ｋｅｙ  Ｓｅｑｕｅｎｃｅ  Ｎｕｍｂｅｒ）などを含む。
【０１６４】
ステップ３３１において、Ｐ／Ｓ−ＧＷ１３０は、無線接続の更新が完了したことを通知する情報（Ｕｐｄａｔｅ  Ｂｅａｒｅｒ  Ｃｏｍｐｌｅｔｅ）をＭＭＥ１２０に送信する。
【０１６５】
ステップ３３２において、ＭＭＥ１２０及びｅＮＢ１１０は、無線端末１０とｅＮＢ１１０との間で設定されていた無線接続を解放する。
【０１６６】
ステップ３４１において、無線端末１０は、回線交換ドメイン２００ａにおいてセキュリティサービスを要求する情報（ＣＭ  Ｓｅｒｖｉｃｅ  Ｒｅｑｕｅｓｔ）をＶＭＳＣ２３０に送信する。セキュリティサービスを要求する情報は、ＴＭＳＩ（Ｔｅｍｐｏｒａｌｙ  Ｍｏｂｉｌｅ  Ｓｕｂｓｃｒｉｂｅｒ  Ｉｄｅｎｔｉｔｙ）、ＣＫＳＮ（Ｃｙｐｈｅｒ  Ｋｅｙ  Ｓｅｑｕｅｎｃｅ  Ｎｕｍｂｅｒ）を含む。
【０１６７】
ステップ３４２において、無線端末１０とＶＭＳＣ２３０との間で無線端末１０の認証処理が行われる。なお、認証処理は省略されてもよい。
【０１６８】
ステップ３４３において、ＳＧＳＮ２５０は、端末能力情報（端末セキュリティ情報）に応じて設定された各種パラメータをＶＭＳＣ２３０から取得した上で、各種パラメータを含む情報（Ｓｅｃｕｒｉｔｙ  Ｍｏｄｅ  Ｃｏｍｍａｎｄ）をＲＮＣ２１０に送信する。各種パラメータは、ＵＩＡ、ＩＫ、ＵＥＡ、ＣＫなどである。これらの情報は、回線交換ドメイン２００ａにおいて用いられる情報である。
【０１６９】
ステップ３４４において、ＲＮＣ２１０は、乱数（ＦＲＥＳＨ）やメッセージ認証コード情報（ＭＡＣ−Ｉ）を設定した上で、これらを含む情報（Ｓｅｃｕｒｉｔｙ  Ｍｏｄｅ  Ｃｏｍｍａｎｄ）を無線端末１０に送信する。“Ｓｅｃｕｒｉｔｙ  Ｍｏｄｅ  Ｃｏｍｍａｎｄ”は、ＦＲＥＳＨ及びＭＡＣ−Ｉに加えて、ＶＭＳＣ２３０によって設定されたＵＩＡ及びＵＥＡを含む。
【０１７０】
ステップ３４５において、無線端末１０は、ＶＭＳＣ２３０によって設定されたＵＩＡ及びＵＥＡの中から、第３世代無線通信システムで用いるＵＩＡ及びＵＥＡを選択する。続いて、無線端末１０は、第３世代無線通信システムでメッセージ認証が可能となったことを示す情報（Ｓｅｃｕｒｉｔｙ  Ｍｏｄｅ  Ｃｏｍｐｌｅｔｅ）をＲＮＣ２１０に送信する。“Ｓｅｃｕｒｉｔｙ  Ｍｏｄｅ  Ｃｏｍｐｌｅｔｅ”は、ＭＡＣ−Ｉ、ＵＩＡ及びＵＥＡなどを含む。
【０１７１】
ステップ３４６において、ＲＮＣ２１０は、無線端末１０によって選択されたＵＩＡ及びＵＥＡを含む情報（Ｓｅｃｕｒｉｔｙ  Ｍｏｄｅ  Ｃｏｍｐｌｅｔｅ）をＶＭＳＣ２３０に送信する。
【０１７２】
ステップ３４７において、ＶＭＳＣ２３０は、セキュリティサービスの要求が受付けられたこと示す情報（ＣＭ  Ｓｅｒｖｉｃｅ  Ａｃｃｅｐｔ）を無線端末１０に送信する。
【０１７３】
ステップ３４８において、無線端末１０は、無線端末１０と無線端末２０との間で行われている音声通信を識別する切替用番号を含む情報（Ｓｅｔｕｐ）をＶＭＳＣ２３０に送信する。切替用番号としては、無線端末１０や無線端末２０の端末識別子、呼制御番号などを用いることが可能である。
【０１７４】
ステップ３４９において、ＶＭＳＣ２３０は、無線端末１０にホストアドレスを割り当てることを要求する情報（ＩＡＭ；Ｉｎｉｔｉａｌ  Ａｄｄｒｅｓｓ  Ｍｅｓｓａｇｅ）をＭＧＣＦ／ＭＧＷ３１０に送信する。
【０１７５】
ステップ３５０において、ＭＧＣＦ／ＭＧＷ３１０は、無線端末２０の呼び出しを要求する情報（Ｉｎｖｉｔｅ）をＶＣＣ３２０に送信する。
【０１７６】
ステップ３５１において、ＶＣＣ３２０は、無線端末２０の呼び出しを要求する情報（Ｒｅ−Ｉｎｖｉｔｅ）を無線端末２０に送信する。
【０１７７】
ステップ３５２において、無線端末２０は、自端末の呼び出しを受付けたことを通知する情報（２００  ＯＫ）をＶＣＣ３２０に送信する。
【０１７８】
ステップ３５３において、ＶＣＣ３２０は、無線端末２０の呼び出しが受付けられたことを通知する情報（２００  ＯＫ）をＭＧＣＦ／ＭＧＷ３１０に送信する。
【０１７９】
ステップ３５４において、ＭＧＣＦ／ＭＧＷ３１０は、無線端末１０と無線端末２０との間でＵ−ＰＬＡＮＥが設定されたことを通知する情報（ＡＮＭ；Ａｎｓｗｅｒ  Ｍｅｓｓａｇｅ）をＶＭＳＣ２３０に送信する。
【０１８０】
ステップ３５５において、ＶＭＳＣ２３０は、無線端末１０とＲＮＣ２１０との間で無線接続を設定することを要求する情報（ＲＡＢ  Ｓｅｔｕｐ  ｒｅｑ．）をＲＮＣ２１０に送信する。
【０１８１】
ステップ３５６において、無線端末１０及びＲＮＣ２１０は、ステップ３４１〜ステップ３４６で設定されたセキュリティ情報（ＦＲＥＳＨ、ＭＡＣ−Ｉ、無線端末１０によって選択されたＵＥＡ及びＵＩＡ）を用いて、無線端末１０とＲＮＣ２１０との間で無線接続を設定する。
【０１８２】
ステップ３５７において、ＲＮＣ２１０は、無線端末１０とＲＮＣ２１０との間で無線接続が設定されたことを通知する情報（ＲＡＢ  Ｓｅｔｕｐ  ｒｅｓｐ．）をＶＭＳＣ２３０に送信する。
【０１８３】
ステップ３５８において、ＶＭＳＣ２３０は、無線端末１０と無線端末２０との間でＵ−ＰＬＡＮＥが設定されたことを通知する情報（ＣＯＮＮＥＣＴ）を無線端末１０に送信する。
【０１８４】
ステップ３５９ａ〜ステップ３５９ｄにおいて、無線端末１０は、第３世代無線通信システム（回線交換ドメイン）を介して無線端末２０と音声通信を開始する。
【０１８５】
なお、ステップ３５９ａ〜ステップ３５９ｄの処理後に、パケット交換ドメインの無線接続が解放される。
【０１８６】
（作用及び効果）
第３実施形態によれば、第１実施形態と同様に、無線端末１０とｅＮＢ１１０との間で設定された無線接続の切断前に、パケット交換ドメイン２００ｂのセキュリティ手順が予め行われるため、ハンドオーバにおいて無線接続が切断されている時間の短縮を図ることができる。
【０１８７】
第３実施形態によれば、無線端末１０は、パケット交換ドメイン２００ｂを介して音声データを受信したことを契機として、パケット交換ドメイン２００ｂから回線交換ドメイン２００ａへのハンドオーバを開始する。
【０１８８】
従って、次世代無線通信システムからパケット交換ドメイン２００ｂへのハンドオーバが行われた後に、パケット交換ドメイン２００ｂから回線交換ドメイン２００ａへのハンドオーバをスムーズに開始することができる。
【０１８９】
特に、パケット交換ドメイン２００ｂから回線交換ドメイン２００ａへのハンドオーバを開始する契機が明確であるため、無線端末１０が接続するネットワークの種別を無線端末１０のアプリケーションが把握していなくても、ハンドオーバをスムーズに開始することができる。
【０１９０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１９１】
上述した実施形態では、次世代無線通信システムから第３世代無線通信システムへのハンドオーバについて例示したが、これに限定されるものではない。すなわち、第３世代無線通信システムから次世代無線通信システムへのハンドオーバに本発明が適用されてもよい。
【０１９２】
また、無線通信システムの種類についても、第３世代無線通信システム及び次世代無線通信システムに限定されるものではなく、ＷＬＡＮなどに本発明が適用されてもよい。
【０１９３】
上述した実施形態では、音声通信について例示しているが、これに限定されるものではない。具体的には、本発明はデータ通信に適用されてもよい。
【０１９４】
上述した第２実施形態では、無線端末１０の端末能力情報（端末セキュリティ情報や“ＭＳ  Ｃｌａｓｓｍａｒｋ”）の送信を要求する情報は、エリアＢの無線品質の測定（Ｉｎｔｅｒ−ＲＡＴ  Ｍｅａｓｕｒｅｍｅｎｔ）を指示する情報（Ｍｅａｓｕｒｅｍｅｎｔ  Ｃｏｎｔｒｏｌ）に含まれるが、これに限定されるものではない。具体的には、無線端末１０の端末能力情報（端末セキュリティ情報や“ＭＳ  Ｃｌａｓｓｍａｒｋ”）の送信を要求する情報は、“Ｍｅａｓｕｒｅｍｅｎｔ  Ｃｏｎｔｒｏｌ”の前後において無線端末１０に送信されてもよい。
【０１９５】
上述した実施形態では特に触れていないが、次世代無線通信システムから第３世代無線通信システムへのハンドオーバが開始する前において、次世代無線通信システムは、端末能力情報（端末セキュリティ情報や“ＭＳ  Ｃｌａｓｓｍａｒｋ”）を予め無線端末１０から取得して、端末能力情報を管理していてもよい。例えば、ｅＮＢ１１０やＭＭＥ１２０が端末能力情報を管理していてもよい。
【０１９６】
例えば、無線端末１０が次世代無線通信システムへのアタッチ処理を行った場合に、次世代無線通信システムは、第３世代無線通信システムにおける無線端末１０の端末能力情報を取得してもよい。
【０１９７】
このようなケースでは、次世代無線通信システムから第３世代無線通信システムへのハンドオーバにおいて、第３世代無線通信システムにおける端末能力情報の送信を改めて要求しなくてもよい。
【０１９８】
上述した実施形態では、各種セキュリティパラメータは、端末能力情報（端末セキュリティ情報）に応じてネットワーク側において設定されるが、これに限定されるものではない。具体的には、各種セキュリティパラメータは、予め指定された値であってもよい。
【図面の簡単な説明】
【０１９９】
【図１】第１実施形態に係る無線通信システムを示す概略図である。
【図２】第１実施形態に係る無線端末１０の構成を示すブロック図である。
【図３】第１実施形態に係る無線通信システムの動作を示すシーケンス図である。
【図４】第１実施形態に係る無線通信システムの動作を示すシーケンス図である。
【図５】第２実施形態に係る無線通信システムを示す概略図である。
【図６】第２実施形態に係る無線通信システムの動作を示すシーケンス図である。
【図７】第２実施形態に係る無線通信システムの動作を示すシーケンス図である。
【図８】第３実施形態に係る無線通信システムを示す概略図である。
【図９】第３実施形態に係る無線通信システムの動作を示すシーケンス図である。
【図１０】第３実施形態に係る無線通信システムの動作を示すシーケンス図である。
【図１１】第３実施形態に係る無線通信システムの動作を示すシーケンス図である。
【符号の説明】
【０２００】
１０・・・無線端末、１１・・・無線機、１２・・・無線品質測定部、１３・・・端末情報記憶部、１４・・・制御部、１００・・・ＥＰＣ、１１０・・・ｅＮＢ、１２０・・・ＭＭＥ、１３０・・・Ｐ／Ｓ−ＧＷ、２００・・・３Ｇネットワーク、２１０・・・ＲＮＣ、２２０・・・ｅＲＮＣ、２３０・・・ＶＭＳＣ、２４０・・・ＩＷＦ、２５０・・・ＳＧＳＮ、３００・・・ＩＭＳ、３１０・・・ＭＧＣＦ／ＭＧＷ、３２０・・・ＶＣＣ
【図１】
0004963453.tif 000002
【図２】
0004963453.tif 000003
【図３】
0004963453.tif 000004
【図４】
0004963453.tif 000005
【図５】
0004963453.tif 000006
【図６】
0004963453.tif 000007
【図７】
0004963453.tif 000008
【図８】
0004963453.tif 000009
【図９】
0004963453.tif 000010
【図１０】
0004963453.tif 000011
【図１１】
0004963453.tif 000012